(57)【特許請求の範囲】
【請求項１】
入出力間の位相差が基準周波数において９０度となる基準可変フィルタと、２つの入力信号の位相差を検出してその位相差に比例した信号を出力する位相比較器と、低域通過型フィルタと、前記基準可変フィルタとは別の信号処理用可変フィルタと、入力信号をフィルタ特性を可変するための所定の可変フィルタ制御信号に変換する制御回路と、外部制御信号に応じて前記基準可変フィルタへ与えられる可変フィルタ制御信号の変化幅を狭く制限する可変リミッタと、電源電圧の変動を検出する電源電圧変動検出回路とを備え、
前記基準周波数の基準信号を前記基準可変フィルタに入力し、前記基準可変フィルタの出力信号と前記基準信号とを前記位相比較器に入力し、前記位相比較器の出力を前記低域通過型フィルタに入力し、前記低域通過型フィルタの出力を前記制御回路に入力し、前記制御回路から出力される前記可変フィルタ制御信号を前記可変リミッタを通して前記基準可変フィルタに与えることにより、一巡のフィードバック制御ループを形成してフィードバック制御を行い、
前記電源電圧変動検出回路が出力する電源電圧変動検出信号を前記可変リミッタに前記外部制御信号として入力することにより、電源電圧の変動時には前記電源電圧変動検出回路の制御により前記可変リミッタが前記基準可変フィルタに入力される前記可変フィルタ制御信号の変化幅を狭くし、
前記可変フィルタ制御信号を前記信号処理用可変フィルタに入力したことを特徴とする自動調整フィルタ回路。
【請求項２】
低域通過型フィルタと制御回路との間に固定リミッタを挿入し、前記低域通過型フィルタの出力の上下振幅を制限して制御回路に入力するようにした請求項１記載の自動調整フィルタ回路。
【発明の詳細な説明】
【０００１】
【発明の属する技術分野】
本発明は半導体集積回路で構成されて、基準信号によりフィルタ特性（周波数特性等）が設計値に自動調整される自動調整フィルタ回路に関するものである。
【０００２】
【従来の技術】
図３および図４は一般的に多く使用される従来の自動調整フィルタ回路の構成例を示すブロック図である。
【０００３】
従来、半導体集積回路で構成されるフィルタ回路では、所望のフィルタ特性（周波数特性等）を作り出す回路に可変コンダクタンス回路を使用することでカットオフ周波数を可変に構成し、半導体集積回路にまつわる回路素子の値変動によりフィルタ回路のカットオフ周波数が変動した場合、図３の従来構成のように、フィルタ回路の特性変動を検出し、フィルタ回路のカットオフ周波数の変動を自動的に補正するように構成する場合がある。
【０００４】
図３は従来の自動調整フィルタ回路の第１の構成例を示すブロック図である。図３において、１は基準信号の入力端子、２は所定の入出力間位相差（基準周波数において９０度）に設計された基準可変フィルタ、３は２つの信号の位相差を検出して位相差に対応した出力信号を出力する位相比較器、４は位相比較器３の出力信号を平滑するための低域通過型フィルタ（以下、ＬＰＦと記す）、５はＬＰＦ４の出力信号の上限および下限の振幅制限を行うための固定リミッタ、６はＬＰＦ４と固定リミッタ５とを通過してきた位相比較器３からの出力信号を所定の可変フィルタ制御信号に変換する制御回路、７は基準可変フィルタ２とは別の信号処理用可変フィルタである。
【０００５】
以上のような構成の自動調整フィルタ回路においては、基準信号が入力端子１から基準可変フィルタ２と位相比較器３とに入力され、さらに位相比較器３には基準可変フィルタ２の出力信号が入力され、位相比較器３の出力はＬＰＦ４に入力され、ＬＰＦ４の出力は固定リミッタ５に入力され、固定リミッタ５の出力は制御回路６に入力され、制御回路６の出力信号である可変フィルタ制御信号は基準フィルタ２と信号処理用可変フィルタ７とに入力される。以上の信号の経路によって、基準可変フィルタ２、位相比較器３、ＬＰＦ４、固定リミッタ５および制御回路６は一巡のフィードバック制御ループを構成している。
【０００６】
ここで、基準信号の周波数が固定の場合、集積回路を構成する半導体プロセスパラメータの変動により基準可変フィルタ２の入出力間位相差が初期設計値から変動した場合、位相比較器３の出力が変化して、制御回路６の出力も変化する。
【０００７】
このとき、制御回路６の出力信号である可変フィルタ制御信号は、基準可変フィルタ２のカットオフ周波数を調整するために、信号処理用可変フィルタ７のほかに基準可変フィルタ２にも入力されている。そこで、基準可変フィルタ２の入出力間位相差変動により変化した制御回路６の出力信号（可変フィルタ制御信号）により基準可変フィルタ２のカットオフ周波数の変動を補正するように信号の極性を設計しておくことで、基準可変フィルタ２のカットオフ周波数は自動調整されるとともに、制御回路６の出力信号で制御されている信号処理用可変フィルタ７のカットオフ周波数変動も自動調整により補正される。
【０００８】
図４は従来の自動調整フィルタ回路の第２の構成例を示すブロック図である。図４は第１の構成例において制御回路６の出力信号である可変フィルタ制御信号を、外部信号によって制御される制御信号調整回路１２に入力し、制御信号調整回路１２の出力を基準可変フィルタ２に入力するように構成したものである。制御信号調整回路１２は、入力される信号の制御量にある一定の変化量（オフセット）を与えて他の制御量に可変するものである。
【０００９】
このように構成することで基準可変フィルタ２にフィードバックされる制御回路６の出力信号（可変フィルタ調整信号）は制御信号調整回路１２によりオフセットが与えられ、フィードバック制御はそのオフセット量も含めて補正するので基準可変フィルタ２のカットオフ周波数は本来のプロセスパラメータの変動のみを補正した場合の周波数からオフセット量に相当した周波数だけ変化した周波数に補正されることになる。その結果、制御回路６により同時に補正される信号処理用可変フィルタ７のカットオフ周波数は初期設計値から上記オフセット量に相当した周波数だけ変化する。すなわち制御信号調整回路１２により信号処理用可変フィルタ７のカットオフ周波数を制御することが可能となる。
【００１０】
【発明が解決しようとする課題】
図３および図４における基準可変フィルタ２および信号処理用可変フィルタ７は、一般的に図５（ａ），（ｂ）に示すような可変コンダクタンス回路と幾つかのコンデンサで構成されている。同図において、ＩＮ１  ，ＩＮ２  は信号入力端子、ＯＵＴは信号出力端子、Ｉ１  ，Ｉ２は電流源、ＶＲ  は基準電圧である。
【００１１】
また、位相比較器３は、図６（ａ）のようなバランスドモジュレータで一般的に構成されている。図６（ｂ）は、位相比較器３における２つの入力信号の位相差と出力電流平均値との関係を示している。
【００１２】
また、ＬＰＦ４は図７のようなコンデンサで構成されている。
【００１３】
また、固定リミッタ５は図８（ａ），（ｂ）のようにダイオードもしくはトランジスタを用いて構成されている。
【００１４】
また、制御回路６は、図９に示すようなＶ／Ｉ（電圧／電流）変換回路で構成される場合が多い。Ｉ１１，Ｉ１２は出力電流である。
【００１５】
つぎに、従来構成において電源立ち上げ、立ち下げ、瞬間電圧降下等の過渡的電源電圧変動時における自動調整フィルタ回路の過渡応答について説明する。
【００１６】
図３の自動調整フィルタ回路が電源立ち上がり等の電源電圧が乱れるような過渡期における動作では、入力端子１から入力される基準信号の不安定性、または各回路の過渡期の変動により、制御回路６の出力信号が乱れて基準可変フィルタ２と信号処理用可変フィルタ７の周波数制御も乱れる。
【００１７】
固定リミッタ５は、このような乱れを少しでも軽減するために、制御回路６に入力される信号の異常振動を制限する目的に組み込まれたリミッタであるが、リミッタ範囲を狭くすると自動調整フィルタ回路としてのフィードバックによる調整範囲も狭くなってしまうので、信号の異常振動を制限するのは困難である。さらに、制御回路６の入力信号を若干安定化できたとしても、制御回路６自身の過渡変動により制御回路６の出力信号の変動は再度増加してしまう。たとえば、固定リミッタ５と同様の回路を制御回路６の出力側にも設けたとしても、上記の調整量との関係上完全に変動を取り除くことは不可能である。
【００１８】
フィードバック制御ループの構成上、固定リミッタ５は制御回路６の前に設置することが一般的に最も効果的であるとともに効率的であり、制御回路６の後に設置した場合の固定リミッタ５の効果は低下する場合が多く、その効果を発揮させるためにはさらに制御回路６、基準可変フィルタ２および信号処理用可変フィルタ７を改良することが必要であり、改良に要する回路規模が一般的に最低限必要な機能を得るために構成された場合の規模よりもかなり大きくなる。
【００１９】
また、図４に示した従来構成においては、制御回路５による信号の安定化、さらには制御回路６の後に固定リミッタを設けることによる安定化を行ったとしても、制御信号調整回路１２により過渡時の可変フィルタ制御信号の変動はさらに増加する。
【００２０】
また、フィードバック制御ループを構成するために使用される位相比較器３には、図６（ａ）のような回路が用いられ、この回路の入力端子１ａ，１ｂ間および入力端子２ａ，２ｂ間に加えられる２つの信号Ｎ１  ，Ｎ２  の位相差に対して出力端子３ａ，３ｂから出力される電流平均値は、図６（ｂ）のような特性になり、位相差が９０度ごとに出力電流の平均値が０になる。
【００２１】
基準可変フィルタ２には一般的に２次のＬＰＦ等が用いられ、基準可変フィルタ２に入力される基準信号の位相は遅れ方向に推移する。そのため、基準可変フィルタの入出力間位相差がカットオフ周波数において−９０度になるのを利用し、位相比較器３は図６（ｂ）のａ点を動作点とするようにフィードバック制御ループが設計される。
【００２２】
ここで、電源電圧変動等による過渡変動において上記可変フィルタ制御信号の過渡変動により基準可変フィルタ２のカットオフ周波数が変動すると、基準可変フィルタ２の入出力間位相差も過渡変動し、さらに位相比較器３の動作点はａ点から外れ、位相比較器３の出力はさらに過渡変動し、過渡変動そのものもフィードバック制御ループ内を一巡する。そのため、正常動作時のフィードバック動作は安定していても、過渡時は各回路とも正常時の伝達特性とは異なる特性で過渡応答中なのでループが異常振動し、ループが正常なフィードバック制御に至るまでの時間を長引かせる。
【００２３】
また、基準可変フィルタ２は、図５のような可変コンダクタンス回路で構成される。一般的にこのような信号伝達回路のそのものの周波数特性は、図１０（ｂ）の曲線群（実線はゲイン、破線は位相）（１）に示すように、通過周波数ｆｃ（本従来構成例においては基準信号の周波数であり、基準可変フィルタ６のカットオフ周波数となる周波数であり、この周波数をｆｃとする）に対して十分に高い周波数まで動作領域となるように設計される。
【００２４】
そして、基準可変フィルタ２の周波数特性は、この図１０（ｂ）の曲線群（１）の特性を含めて、図１０（ａ）のように基準信号の周波数ｆｃで入出力間位相差がちょうど−９０度となるように設計される。
【００２５】
ところが、過渡変動時には、可変コンダクタンス回路を駆動する電流が激減するなどの現象に回路の異常動作が重なって、その周波数特性が図１０（ｂ）の曲線群（実線はゲイン、破線は位相）（２）に示すように大きく周波数特性が悪化させることがあり、場合によっては基準可変フィルタ２のカットオフ周波数が大幅に低くなる。これに伴って、基準可変フィルタ２の位相が基準周波数において図６（ｂ）のｂ点すなわち、−４５０度になるような状態が発生すると、フィードバック制御としての動作条件が同図ａ点と同様に成り立ち、フィードバック制御ループがそのまま適切な制御状態に復帰することなくフィードバック制御が持続してしまう場合がある。
【００２６】
上述したように、電源立ち上がり時等の過渡的な電源電圧変動により自動調整フィルタ回路のフィードバック制御が乱れた場合、
（１）    信号処理用可変フィルタ７の出力信号がフィードバック制御の乱れに応じて変動し、他の信号処理回路の安定動作の妨げになり適切な信号処理が行われるまでの時間が長くなり、システム全体が安定動作に至るまでの時間が長くなる。
（２）    集積回路を構成している半導体のプロセスパラメータ変動にまつわる変動以上に基準可変フィルタ２のカットオフ周波数がずれると、フィードバック制御がフィルタのカットオフ周波数を適切な位置まで制御するために要する時間が長くなり、さらにシステム全体が安定動作に至るまでの時間が長くなる。
（３）    位相比較器３の動作点が図６（ｂ）のｂ点になるような状態に基準可変フィルタ２が制御されたままループが安定持続してしまうと、同時に制御されている信号処理用可変フィルタ７の周波数特性はまったく設計特性とは異なった特性となり、正しい信号処理ができなくなる。
【００２７】
上記のような（１）、（２）、（３）の不具合が課題であった。
【００２８】
本発明は上記従来の課題を解決するものであり、安定かつ高速に目的とする自動調整が行われる自動調整フィルタ回路を提供することを目的とする。
【００３４】
【課題を解決するための手段】
この目的を達成するために、本発明の自動調整フィルタ回路は、入出力間の位相差が基準周波数において９０度となる基準可変フィルタと、２つの入力信号の位相差を検出してその位相差に比例した信号を出力する位相比較器と、低域通過型フィルタと、基準可変フィルタとは別の信号処理用可変フィルタと、入力信号をフィルタ特性を可変するための所定の可変フィルタ制御信号に変換する制御回路と、外部制御信号に応じて基準可変フィルタへ与えられる可変フィルタ制御信号の変化幅を狭く制限する可変リミッタと、電源電圧の変動を検出する電源電圧変動検出回路とを備えている。
【００３５】
そして、基準周波数の基準信号を基準可変フィルタに入力し、基準可変フィルタの出力信号と基準信号とを位相比較器に入力し、位相比較器の出力を低域通過型フィルタに入力し、低域通過型フィルタの出力を制御回路に入力し、制御回路から出力される可変フィルタ制御信号を可変リミッタを通して基準可変フィルタに与えることにより、一巡のフィードバック制御ループを形成してフィードバック制御を行う。
【００３６】
また、電源電圧変動検出回路が出力する電源電圧変動検出信号を可変リミッタに外部制御信号として入力することにより、電源電圧の変動時には電源電圧変動検出回路の制御により可変リミッタが基準可変フィルタに入力される可変フィルタ制御信号の変化幅を狭くしている。
【００３７】
さらに、可変フィルタ制御信号を信号処理用可変フィルタに入力している。
【００３８】
この構成によれば、フィードバック制御ループ内の基準可変フィルタの直前に、電源電圧が過渡変化した場合に可変フィルタ制御信号の変化幅を狭くする可変リミッタを設けたことにより、電源電圧変動時の異常動作から正常なフィードバック動作に極めて高速に移行することのできる高性能な自動調整フィルタ回路が得られる。
【００３９】
なお、上記本発明の構成において、低域通過型フィルタと制御回路との間に固定リミッタを挿入し、低域通過型フィルタの出力の上下振幅を制限して制御回路に入力するようにしてもよい。このように固定リミッタを挿入すると、制御回路に入力される信号の異常振動を制限することができる。
【００４０】
【発明の実施の形態】
以下、本発明の実施の形態について、図面を参照しながら説明する。まず、本発明の実施の形態の説明で参考となる自動調整フィルタ回路の参考例について、説明する。
【００４１】
［参考例］
図１は自動調整フィルタ回路の参考例の構成を示すブロック図である。図１において、１は基準信号の入力端子、２は基準信号の位相を基準信号周波数において９０度遅らせ、周波数特性が可変フィルタ制御信号で変化させることができる基準可変フィルタ、３は２つの入力信号の位相差を検出する位相比較器、４はＬＰＦ、５はリミット幅固定の固定リミッタ、７は可変フィルタ制御信号（周波数特性制御信号）で可変できる信号処理用可変フィルタ、６は入力信号を所定の可変フィルタ制御信号に変換し基準可変フィルタ２および信号処理用可変フィルタ７を制御する制御回路、８は基準可変フィルタ２を制御する可変フィルタ制御信号を固定する固定回路、９は電源電圧の変動を検出する電源電圧変動検出回路、１０は可変フィルタを制御するための可変フィルタ制御信号である。
【００４２】
入力端子１から基準可変フィルタ２に基準信号が入力され、位相比較器３の入力には基準信号と基準可変フィルタ２の出力信号が入力され、位相比較器３の出力はＬＰＦ４に入力され、ＬＰＦ４の出力は固定リミッタ５に入力され、固定リミッタ５の出力は制御回路６に入力され、制御回路６の出力である可変フィルタ制御信号は信号処理用可変フィルタ７と固定回路８とに入力され、固定回路８には電源電圧変動検出回路９からの制御信号も入力され、固定回路８の出力は基準可変フィルタ８に入力される。そして、基準可変フィルタ２と位相比較器３とＬＰＦ４と固定リミッタ５と制御回路６と固定回路８とでフィードバック制御ループが構成される。
【００４３】
以上のように構成された自動調整フィルタ回路の参考例においては、電源電圧変動検出回路９はたとえば図１１（ａ）に示すような回路で実現できる。図１１（ａ）において、Ｒ1 ，Ｒ2 ，Ｒ3 は抵抗、Ｉは電流源、ＯＵＴ1 ，ＯＵＴ2 は出力端子、Ｄ1 〜Ｄnは直列接続されたダイオード、Ｖ1 は抵抗Ｒ1と抵抗Ｒ2 の接続点の電圧、Ｖ2 は抵抗Ｒ3 とダイオードＤ1 〜Ｄnの接続点の電圧である。
【００４４】
図１１（ａ）において、電圧Ｖ２は電源電圧Ｖｃｃが比較的低くダイオードＤ１〜Ｄｎ  に流れる電流が極少量の場合においても、ベース・エミッタ間電圧ＶＢＥのｎ倍の電圧となり、電源電圧Ｖｃｃが所定値だけ低下したときに、電源電圧Ｖｃｃを抵抗Ｒ１  ，  Ｒ２  で分圧した電圧Ｖ１  が、電圧Ｖ２  と等しくなるように抵抗Ｒ１  と抵抗Ｒ２  との分圧比を設定すれば、電源電圧Ｖｃｃに比例した電圧Ｖ１  と出力端子ＯＵＴ１  と出力端子ＯＵＴ２の出力電流ＩＯＵＴ１，ＩＯＵＴ２の関係は、電圧電圧Ｖｃｃの変動に対応して、図１１（ｂ）のようになる。そのため、この出力電流ＩＯＵＴ１，ＩＯＵＴ２を使用すれば、その大小関係を判定すれば、電源電圧変動検出を行うことができる。
【００４５】
また、固定回路８は、たとえば図１２（ａ）または（ｂ）のような回路で実現できる。可変フィルタを構成するための可変コンダクタンス回路に上記図５（ａ）または（ｂ）のような回路を用いるのであれば、コンダクタンスの可変は図５の各回路図に示す電流Ｉ１  と電流Ｉ２  の比の制御により行われるので、この２つの電流Ｉ１  ，Ｉ２  の一方は元々固定にしておき他方の電流のみを使用するような場合、すなわち可変フィルタ制御信号１０となる制御電流が１種類の場合に図１２（ａ）に示した回路を使用し、制御信号となる電流を図１２（ａ）のＩＦとし、同図の電流Ｉｃｏｎｓｔを上記制御に使用する電流に対するもう一方の固定にした電流と同じ電流値としておき、同図電圧Ｖの制御により電流ＩＦか電流Ｉｃｏｎｓｔを切り替えて電流ＩＦ  ’として出力すれば、電流Ｉｃｏｎｓｔを出力した場合、図５のコンダクタンスの可変に使用する電流Ｉ１との比が固定され基準可変フィルタ２の制御も固定される。
【００４６】
また、図５のコンダクタンスの可変に使用する電流Ｉ１とＩ２  の両方を可変して図１の制御電流１０とする場合は、固定回路８として図１２（ｂ）のような回路を使用すればよく、入力される２つの制御信号を電流ＩＦ１，ＩＦ２とすると、出力電流ＩＦ１’には入力電流ＩＦ１がそのまま出力され、図１２（ｂ）の電圧Ｖの制御により出力される制御電流ＩＦ２’は電流ＩＦ２と電流ＩＦ１とが切り替えられるので、電流ＩＦ１になるように切り替えれば、図５のコンダクタンスの可変に使用する電流Ｉ１  と電流Ｉ２  の比が固定され、基準可変フィルタ２の制御が固定される。
【００４７】
以上のように、参考例によれば、フィードバック制御ループ内の基準可変フィルタ２の直前に、電源電圧が過渡変化した場合に可変フィルタ制御信号を固定する固定回路８を設けたことにより、電源変動時に基準可変フィルタ２の制御を固定することができ、電源立ち上げ時や電源の瞬間停止等の電源電圧変動時においても、異常動作から正常なフィードバック動作に極めて高速に移行することのできる高性能な自動調整フィルタ回路を実現することができる。
【００４８】
なお、制御回路６が出力する可変フィルタ制御信号は、基準可変フィルタ２と信号処理用可変フィルタ７以外に、さらに他の回路に入力されている場合もある。また固定リミッタ５は取り除いてもよく、制御回路６から固定回路８までの間に制御信号に対しなんらかの処理を行う回路、例えば制御信号調整回路１２が挿入されてもよい。
【００４９】
なお、固定リミッタ５による効果は従来例と同様である。
【００５０】
また、もし制御回路６から出力される信号が電圧の場合には、図１２に示した回路の動作と同様な発想で電圧切替スイッチを用いればよく、実現するのは極めて容易である。
【００５１】
［第１の実施の形態］
図２は本発明の第１の実施の形態における自動調整フィルタ回路の構成を示すブロック図である。図２において、図１と異なるのは、固定回路２に代えて、可変リミッタ１１を用いた点であり、その他は図１の参考例と同じである。
【００５２】
可変リミッタ１１は、外部制御信号に応じて基準可変フィルタ２与えられる可変フィルタ制御信号の変化幅を狭く制限するものである。この可変リミッタ１１は、電源電圧変動検出回路９が出力する電源電圧変動検出信号を可変リミッタ１１に外部の制御信号として入力することにより、電源電圧の変動時には電源電圧変動検出回路９の制御により可変リミッタ１１が基準可変フィルタ２に入力される可変フィルタ制御信号の変化幅を狭くする。
【００５３】
以上のような構成の自動調整フィルタ回路においては、入力端子１から基準可変フィルタ２に基準信号が入力され、位相比較器３の入力には基準信号と基準可変フィルタ２の出力信号が入力され、位相比較器３の出力はＬＰＦ４に入力され、ＬＰＦ４の出力は固定リミッタ５に入力され、位相比較器３の出力は制御回路６に入力され、制御回路６の出力は信号処理用可変フィルタ７と可変リミッタ１１に入力され、可変リミッタ１１には電源変動検出回路９からの制御信号も入力され、可変リミッタ１１の出力は基準可変フィルタ２に入力される。そして、基準可変フィルタ２と位相比較器３とＬＰＦ４と固定リミッタ５と制御回路６と可変リミッタ１１とでフィードバック制御ループが構成される。
【００５４】
以上のように構成された第１の実施の形態の自動調整フィルタ回路において、電源変動検出回路９は、参考例と同様にして実現できる。また、可変リミッタ１１はたとえば図１３のような回路で実現できる。参考例と同様にフィルタを構成するための可変コンダクタンス回路に図５（ａ），（ｂ）のような回路を用いるのであれば、コンダクタンスの可変は図５の各回路図に示す電流Ｉ1とＩ2の比の制御により行われる。そのため、この２つの電流Ｉ1 ，Ｉ2 の一方は元々固定にしておき、他方の電流のみを使用するような場合、すなわち制御信号１０となる制御電流が１種類の場合においては、図１３の回路を使用すればよい。また、図５のコンダクタンスの可変に使用する電流Ｉ1 と電流Ｉ2の両方を可変して図１の制御電流１０とする場合においても、同様に図１３の回路を使用すればよい。
【００５５】
具体的に説明すると、制御信号１０となる制御電流を図１３の電流ＩＦ  として入力し、その電流ＩＦ  により抵抗ＲＥ  に発生する電圧ＶＲを適当な値に設定し、カレントミラー回路の電圧ＶＢ  を図１３に示したようにダイオードＤ３１，Ｄ３２等で電圧制限することで出力される電流ＩＦ  ’  も制限され、制御電流が２つの場合は図１３の回路を２つ用いてそれぞれの電流を制限すればよい。そして、図１３のダイオードＤ３１，Ｄ３２のバイアス電圧Ｖ１  ，Ｖ２  を電源電圧変動検出回路９の信号で制御することで可変リミッタ１１の制限幅を制御する。これによって可変フィルタ制御信号１０の制御量が制限され基準可変フィルタ２の制御が制限される。
【００５６】
以上のように、第１の実施の形態によれば、フィードバック制御ループ内の基準可変フィルタ２の直前に、電源電圧が過渡変化した場合に可変フィルタ制御信号を固定する可変リミッタ１１を設けたことにより、電源変動時に基準可変フィルタ２の制御幅を制限することができ、電源立ち上げ時や電源の瞬間停止等の電源電圧変動時においても、異常動作から正常なフィードバック動作に極めて高速に移行することのできる高性能な自動調整フィルタ回路を実現することができる。
【００５７】
なお、制御回路６が出力する可変フィルタ制御信号は、基準可変フィルタ２と信号処理用可変フィルタ７以外に、さらに他の回路に入力されている場合もある。また固定リミッタ５は取り除いてもよく、制御回路６から可変リミッタ１１までの間に制御信号に対しなんらかの処理を行う回路、例えば制御信号調整回路１２が挿入されてもよい。
【００５８】
また、もし制御回路６から出力される信号が電圧の場合には、図１２に示した回路の替わりに図８（ａ）のような電圧リミッタを用いればよく、実現するのは極めて容易である。
【００６０】
【発明の効果】
以上のように、本発明の自動調整フィルタ回路によれば、フィードバック制御ループ内の基準可変フィルタの直前に、電源電圧が過渡変化した場合に可変フィルタ制御信号の変化幅を狭くする可変リミッタを設けたことにより、電源電圧変動時の異常動作から正常なフィードバック動作に極めて高速に移行することのできる高性能な自動調整フィルタ回路が得られる。
【図面の簡単な説明】
【図１】自動調整フィルタ回路の参考例の構成を示すブロック図である。
【図２】本発明の第１の実施の形態における自動調整フィルタ回路の構成を示すブロック図である。
【図３】従来の第１の自動調整フィルタ回路の構成例を示すブロック図である。
【図４】従来の第２の自動調整フィルタ回路の構成例を示すブロック図である。
【図５】可変フィルタを構成する場合に使用する可変コンダクタンス回路の具体例を示す回路図である。
【図６】（ａ）は位相比較器の構成例を示す回路図、（ｂ）は位相比較器の動作特性を示す特性図である。
【図７】ＬＰＦの構成を示す回路図である。
【図８】（ａ），（ｂ）は固定リミッタの構成を示す回路図である。
【図９】制御回路の構成を示す回路図である。
【図１０】基準可変フィルタの動作説明をするための特性図である。
【図１１】（ａ）は電源電圧変動検出回路の構成を示す回路図、（ｂ）はその動作説明をするための特性図である。
【図１２】（ａ），（ｂ）は固定回路の構成を示す回路図である。
【図１３】可変リミッタの構成を示す回路図である。
【符号の説明】
１    基準信号入力端子
２    基準可変フィルタ
３    位相比較器
４    低域通過型フィルタ（ＬＰＦ）
５    固定リミッタ
６    制御回路
７    信号処理用可変フィルタ
８    固定回路
９    電源変動検出回路
１０    可変フィルタ制御信号
１１    可変リミッタ
【図１】
0003553871.tif 000002
【図２】
0003553871.tif 000003
【図３】
0003553871.tif 000004
【図４】
0003553871.tif 000005
【図５】
0003553871.tif 000006
【図６】
0003553871.tif 000007
【図７】
0003553871.tif 000008
【図８】
0003553871.tif 000009
【図９】
0003553871.tif 000010
【図１０】
0003553871.tif 000011
【図１１】
0003553871.tif 000012
【図１２】
0003553871.tif 000013
【図１３】
0003553871.tif 000014